(57)【要約】【課題】冷蔵用蒸発器と冷凍用蒸発器の新たな配置を提案すると共に、冷凍用蒸発器内に配置された一部分の冷媒配管内の冷媒滞留量を極力小さく抑える。【解決手段】冷媒を吐出する圧縮機５と前記圧縮機５と接続し合う凝縮器７と前記凝縮器７からの冷媒の流路又は流量を切替える第１、第２吐出ポート９ｂ、９ｃとを有する切替弁９と前記切替弁９の第１吐出ポート９ｂと接続し冷蔵室内を冷却する冷蔵用蒸発器１と前記切替弁９の第２吐出ポート９ｃと接続し冷凍室を冷却する冷凍用蒸発器３とを備える一方、前記冷蔵用蒸発器１の出口側冷媒配管２５の一部分を、前記冷凍用蒸発器３内に配置させると共に外に延長された前記冷媒配管２５を、前記圧縮機５へ向かう冷凍用蒸発器３の出口側冷媒配管３３と接続し合流させる回路構成とする。【選択図】図１
2010196948.tif 000002
【特許請求の範囲】
【請求項１】
冷媒を吐出する圧縮機と前記圧縮機と接続し合う凝縮器と前記凝縮器からの冷媒の流路又は流量を切替える第１、第２吐出ポートとを有する切替弁と前記切替弁の第１吐出ポートと接続し冷蔵室内を冷却する冷蔵用蒸発器と前記切替弁の第２吐出ポートと接続し冷凍室を冷却する冷凍用蒸発器とを備え、
前記冷蔵用蒸発器の出口側冷媒配管の一部分を前記冷凍用蒸発器内に配置させると共に外に延長された前記冷媒配管を、前記圧縮機へ向かう冷凍用蒸発器の出口側冷媒配管と接続し合流させたことを特徴とする冷蔵庫。
【請求項２】
前記冷凍用蒸発器内に配置された冷蔵用蒸発器の冷媒配管の配管径は、前記冷凍用蒸発器内の冷媒配管の配管径よりも細径であることを特徴とする請求項１記載の冷蔵庫。
【請求項３】
前記冷凍用蒸発器内に配置された冷蔵用蒸発器の冷媒配管の配管全長は、前記冷凍用蒸発器内の冷媒配管の配管全長よりも短く作られていることを特徴とする請求項１記載の冷蔵庫。
【請求項４】
前記冷凍用蒸発器内に配置された冷蔵用蒸発器の冷媒配管は、前記冷凍用蒸発器内の冷媒配管よりも風上側に臨む配置となっていることを特徴とする請求項１記載の冷蔵庫。
【請求項５】
前記冷凍用蒸発器内に配置された冷蔵用蒸発器の冷媒配管に設けられたフィンのフィンピッチは、前記冷凍用蒸発器内の冷媒配管に設けられたフィンのフィンピッチよりも粗であることを特徴とする請求項１記載の冷蔵庫。
【請求項６】
前記冷凍用蒸発器内に配置された冷蔵用蒸発器の冷媒配管は、配管全領域にわたってフィンをなくしたことを特徴とする請求項１記載の冷蔵庫。
【請求項７】
前記冷凍用蒸発器内に配置された冷蔵用蒸発器の冷媒配管は、内面に溝のない溝なし配管、冷凍用蒸発器内の冷媒配管は内面に溝のある溝あり配管となっていることを特徴とする請求項１記載の冷蔵庫。
【発明の詳細な説明】
【技術分野】
【０００１】
本発明は冷蔵室や冷凍室等を冷却する複数の蒸発器を備えたものに適する冷蔵庫に関する。
【背景技術】
【０００２】
近年の冷蔵庫は、冷蔵室や冷凍室等の複数の庫内温度安定化の観点から例えば、冷蔵用蒸発器、冷凍用蒸発器というように複数の蒸発器を用いてそれぞれ独立した庫内冷却が行なわれる。
【０００３】
複数の蒸発器を用いてそれぞれの庫内冷却を行なう冷蔵用蒸発器と冷凍用蒸発器は３方弁によって切替え制御される並列配置と直列配置がある。
【０００４】
３方弁によって切替え制御される並列配置の冷蔵用蒸発器と冷凍用蒸発器において、冷蔵室の冷却運転時にあっては冷蔵用蒸発器にのみ冷媒が流れる一方、冷凍室の冷却運転時にあっては、冷凍用蒸発器にのみ冷媒が流れる。また、冷蔵室、冷凍室の同時冷却運転時にあっては冷蔵用蒸発器と冷凍用蒸発にそれぞれ同時に冷媒が流れる冷媒回路が構成される（特許文献１参照）。
【０００５】
一方、３方弁によって切替え制御される直列配置の冷蔵用蒸発器と冷凍用蒸発器において、冷蔵室の冷却運転時にあっては冷蔵用蒸発器、冷凍用蒸発器の順に冷媒が流れる一方、冷凍室の冷却運転時にあっては冷凍用蒸発器にのみ冷媒が流れる。また、冷蔵室、冷凍室の同時冷却運転時にあっては冷蔵用蒸発器と冷凍用蒸発器にそれぞれ同時に冷媒が流れる冷媒回路が構成される（特許文献２参照）。
【先行技術文献】
【特許文献】
【０００６】
【特許文献１】特開２００１−８２８５１号公報
【特許文献２】特開２００２−８１８１７号公報
【発明の概要】
【発明が解決しようとする課題】
【０００７】
冷蔵用蒸発器と冷凍用蒸発器が並列配置された前者の手段と直列配置された後者の手段にあっては、それぞれ一長一短があり、例えば、冷蔵室のみを冷却する冷蔵室冷却運転時において冷媒の滞留という問題をかかえる。特に、直列配置された後者の手段にあっては、冷蔵室の冷却時に冷蔵室蒸発器を通過した後、運転停止状態にある冷凍用蒸発器の順に冷媒が通過するため、その通過時に冷凍用蒸発器の温度影響を受けて冷凍用蒸発器内において冷媒の滞留問題が顕著となる。
【０００８】
そこで、本発明にあっては、並列配置の長所を採用した新たな配置を提案すると共に、冷凍用蒸発器の冷媒滞留量を極力抑え、好適な冷媒循環量の確保ができるようにした冷蔵庫を提供することを目的とする。
【課題を解決するための手段】
【０００９】
前記目的を達成するために本発明にあっては、冷媒を吐出する圧縮機と前記圧縮機と接続し合う凝縮器と前記凝縮器からの冷媒の流路又は流量を切替える第１、第２吐出ポートとを有する切替弁と前記切替弁の第１吐出ポートと接続し冷蔵室内を冷却する冷蔵用蒸発器と前記切替弁の第２吐出ポートと接続し冷凍室を冷却する冷凍用蒸発器とを備え、前記冷蔵用蒸発器の出口側冷媒配管の一部分を前記冷凍用蒸発器内に配置させると共に外に延長された前記冷媒配管を、前記圧縮機へ向かう冷凍用蒸発器の出口側冷媒配管と接続し合流させたことを特徴とする。
【００１０】
本発明を実施するにあたって第１に、前記冷凍用蒸発器内に配置された冷蔵用蒸発器の冷媒配管の配管径を、前記冷凍用蒸発器内の冷媒配管の配管径よりも細径とすることで、一部分となる冷媒配管内に滞留する冷媒の滞留量を少なく抑えることができるようにすることが望ましい。
【００１１】
第２に、前記冷凍用蒸発器内に配置された冷蔵用蒸発器の冷媒配管の配管全長を、前記冷凍用蒸発器内の冷媒配管の配管全長よりも短く作ることで、一部分となる冷媒配管内に滞留する冷媒の滞留量を少なく抑えることができるようにすることが望ましい。
【００１２】
第３に、前記冷凍用蒸発器内に配置された冷蔵用蒸発器の冷媒配管を、前記冷凍用蒸発器内の冷媒配管よりも風上側に臨む配置とすることで、熱交換時の効率を抑制し一部分となる冷媒配管内に滞留する冷媒の滞留量を少なく抑えることができるようにすることが望ましい。
【００１３】
第４に、前記冷凍用蒸発器内に配置された冷蔵用蒸発器の冷媒配管に設けられたフィンのフィンピッチを、前記冷凍用蒸発器内の冷媒配管に設けられたフィンのフィンピッチよりも粗とすることで、熱交換時の効率を抑制し一部分となる冷媒配管内に滞留する冷媒の滞留量を少なく抑えることができるようにすることが望ましい。
【００１４】
第５に、前記冷凍用蒸発器内に配置された冷蔵用蒸発器の冷媒配管を、配管全領域にわたってフィンをなくすことで、熱交換時の効率を抑制し一部分となる冷媒配管内に滞留する冷媒の滞留量を少なく抑えることができるようにすることが望ましい。
【００１５】
第６に、前記冷凍用蒸発器内に配置された冷蔵用蒸発器の冷媒配管を、内面に溝のない溝なし配管、冷凍用蒸発器内の冷媒配管を内面に溝のある溝あり配管とすることで、熱交換時の効率を抑制し一部分となる冷媒配管内に滞留する冷媒の滞留量を少なく抑えることができるようにすることが望ましい。
【発明の効果】
【００１６】
本発明によれば、冷蔵室冷却時において、３方弁を切替えることで冷媒は冷蔵用蒸発器を通過した後、冷凍用蒸発器の順に流れ、冷蔵室の庫内冷却を行なうことができる。この時、冷蔵室蒸発器、冷凍室蒸発器の順に流れる冷媒は、冷凍室蒸発器内において温度影響を受けても独立した一部分の冷蔵用蒸発器の冷媒配管によって冷媒配管内に滞留する冷媒の滞留量を小さく抑えることで、好適な冷媒循環量の確保が可能となり、効率のよい冷却運転を行なうことができる。
【図面の簡単な説明】
【００１７】
【図１】本発明にかかる冷凍サイクルの概要構成図。
【図２】冷蔵用蒸発器の具体例を示した概要説明図。
【図３】冷凍用蒸発器の具体例を示した概要説明図。
【図４】冷凍用蒸発器内において冷蔵用蒸発器の出口側冷媒配管の全領域にわたってフィンをなくした図２と同様の概要説明図。
【図５】冷凍用蒸発器内において冷蔵用蒸発器の出口側冷媒配管の一部分を示した概要斜視図（ａ）と冷凍用蒸発器の冷媒配管の一部分を示した概要斜視図（ｂ）。
【発明を実施するための形態】
【００１８】
以下、図１乃至図５の図面を参照しながら本発明の実施形態について具体的に説明する。
【００１９】
図１は本発明にかかる冷蔵庫（図示していない）の冷凍サイクルの概要構成図を示しており、冷蔵室内を冷却する冷蔵用蒸発器１と冷凍室内を冷却する冷凍用蒸発器３の外に、圧縮機５、凝縮器７、切替弁となる３方弁９とを備える。
【００２０】
３方弁は冷媒の流路又は流量を切替え制御するもので、入口ポート９ａと吐出側となる第１、第２吐出ポート９ｂ，９ｃとを有する。入口ポート９ａは前記凝縮器７と、第１吐出ポート９ｂは前記冷蔵用蒸発器１の冷蔵用絞り装置１１と、第２吐出ポート９ｃは前記冷凍用蒸発器３の冷凍用絞り装置１３とそれぞれ連通している。
【００２１】
冷蔵用絞り装置１１は、キャピラリチューブとなっている。冷蔵用蒸発器１は、図２に示す如く多数のフィン１５と各フィン１５を貫通した冷媒配管１７と冷蔵用ファン１９とを有し、冷蔵用ファン１９によって各フィン１５の間を空気が通過する時、冷媒配管１７内を流れる冷媒との間で熱交換が行なわれることで庫内冷却用の冷却風が生成される。
【００２２】
一方、冷凍用絞り装置１３はキャピラリチューブとなっている。冷凍用蒸発器３は、図３に示す如く多数のフィン２１と各フィン２１を貫通した冷媒配管２３と、前記した冷蔵用蒸発器１の出口側冷媒配管２５の一部分が並列配置された組合せ配管の構造となっている。
【００２３】
冷凍用蒸発器３の冷媒配管２３の一方となる入口２３ａ側は前記冷凍用絞り装置１３と、他方となる出口２３ｂ側は逆止弁２６を介して前記圧縮機５と連通している。
【００２４】
組合せ配管となる前記冷凍用蒸発器３内に配置された前記冷蔵用蒸発器１の一部分となる冷媒配管２５の一方の入口２５ａ側は前記冷蔵用蒸発器１の冷媒配管１７と、他方となる出口２５ｂ側は前記圧縮機５へ向かう冷凍用蒸発器３の出口側冷媒配管３３とそれぞれ連通し、冷凍用ファン２７によって図３矢印の如く空気の流れが確保され熱交換が行なわれる。
【００２５】
冷凍用蒸発器３内に配置された前記冷蔵用蒸発器１の一部分の冷媒配管２５の入口２５ａ側から出口２５ｂ側まで径は、冷凍用蒸発器３の冷媒配管２３の入口２３ａ側から出口２３ｂ側までの径より細く作られた細径となっている。
【００２６】
冷蔵用蒸発器１の一部分の冷媒配管２５の径を細径とする理由は、冷凍用蒸発器３内において一部分の冷媒配管２５内に滞留する冷媒の滞留量を小さく抑えるための一手段となっている。この場合、冷凍用蒸発器３内に配置される一部分の冷媒配管２５内に滞留する冷媒の滞留量を小さく抑えること手段としては、前記した手段に特定されない。例えば、冷蔵用蒸発器１の冷媒配管２５の入口２５ａ側から出口２５ｂ側までの長さ（全長）を、冷凍用蒸発器３の冷媒配管２３の入口２３ａ側から出口２３ｂ側までの長さ（全長）より短くする手段とすることで、一部分の冷媒配管２５内に滞留する冷媒の滞留量を小さく抑える手段としてもよい。
【００２７】
また、図３に示す如く組合せ配管となる冷蔵用蒸発器１の冷媒配管２５を、冷凍用蒸発器３の冷媒配管２３より風上側に配置することで、熱交換時の効率を抑制し一部分の冷媒配管２５内に滞留する冷媒の滞留量を小さく抑える手段としてもよい。
【００２８】
また、図３に示す如く組合せ配管となる冷蔵用蒸発器１の冷媒配管２５のフィン２９のフィンピッチ（フィンとフィンまでの距離）を、冷凍用蒸発器３の冷媒配管２３のフィン２１のフィンピッチより粗にすることで、熱交換時の効率を抑制し一部分の冷媒配管２５内に滞留する冷媒の滞留量を小さく抑える手段としてもよい。
【００２９】
また、図４に示す如く組合せ配管となる冷蔵用蒸発器１の冷媒配管２５の全領域にわたってフィンをなくすことで、熱交換時の効率を抑制し一部分の冷媒配管２５内に滞留する冷媒の滞留量を小さく抑える手段としてもよい。
【００３０】
また、図５に示す如く組合せ配管となる冷蔵用蒸発器１の一部分の冷媒配管２５を内面に溝のない溝なし管とし、冷凍用蒸発器３の冷媒配管２３を内面にスパイラル状に形成された溝３１のある溝あり管とすることで、熱交換時の効率を抑制し一部分の冷媒配管２５内に滞留する冷媒の滞留量を小さく抑える手段としてもよい。
【００３１】
このように構成された本発明によれば、３方弁９の切替え制御によって圧縮機５から吐出された冷媒が凝縮器７、冷蔵用絞り装置１１、冷蔵用蒸発器１、冷凍用蒸発器３の一部分を通り、再び圧縮機５に戻る第１の冷凍サイクル（実線）によって冷蔵室の冷却運転が行なえる。また、３方弁９の切替え制御によって圧縮機５から吐出された冷媒が凝縮器７、冷凍用絞り装置１３、冷凍用蒸発器３を通り、再び圧縮機５に戻る第２の冷凍サイクル（点線）によって冷凍室の冷却運転が行なえる。
【００３２】
また、第１と第２の冷凍サイクルの組合せによって冷蔵室と冷凍室の同時冷却運転が行なえる。
【００３３】
一方、第１の冷凍サイクルによる冷蔵室冷却運転時において、冷凍用蒸発器３内に配置された冷媒配管２５内を冷媒が通過する時に冷凍用蒸発器３の低温の温度影響を受けても一部分となっているため冷媒配管２５内に滞留する冷媒の滞留量は極力抑えられ、好適な冷媒循環量の確保が可能となり、効率のよい冷却運転が行なえる。
【符号の説明】
【００３４】
１    冷蔵用蒸発器
３    冷凍用蒸発器
５    圧縮機
７    凝縮器
９    ３方弁（切替弁）
９ｂ    第１吐出ポート
９ｃ    第２吐出ポート
２５    冷蔵用蒸発器の出口側の冷媒配管
３３    冷凍用蒸発器の出口側の冷媒配管
【図１】
2010196948.tif 000003
【図２】
2010196948.tif 000004
【図３】
2010196948.tif 000005
【図４】
2010196948.tif 000006
【図５】
2010196948.tif 000007